(57)【要約】【課題】いかなる形状のディスプレイ装置に対しても、見栄えのよい画像を表示させることができる画像表示装置を提供する。【解決手段】本発明に係る画像表示装置１００は、画像データおよびその画像データに関連付けられており、画像データにより表される画像のどの領域を表示するかを指定する表示領域決定情報を含むデータを取得する取得部１１０と、画像データにより表される画像上のどの領域を表示部１１４に表示するかを表示領域決定情報に基づいて決定する表示領域決定部１１２と、決定した表示領域を表示部１１４において無表示領域が生じないように表示する表示制御部１１３と、を備えている。【選択図】図１
2010176087.tif 000002
【特許請求の範囲】
【請求項１】
画像データと、当該画像データにより表される画像のどの領域を表示部に表示するかを指定する指定情報とを取得する取得手段と、
上記画像上のどの領域を表示部に表示するかを、上記指定情報と上記表示部の形状とに基づいて決定する決定手段と、
上記決定手段により決定された領域を表示対象領域として上記表示部全体に表示する表示制御手段と、を備えていることを特徴とする画像表示装置。
【請求項２】
上記指定情報には、上記画像データにより表される画像上のどの領域を表示対象領域として表示するかが表示部の形状ごとに指定されており、
上記決定手段は、上記指定情報により指定されている領域から、上記画像の表示先となる表示部の形状に対応した領域を表示対象領域として選択することを特徴とする請求項１に記載の画像表示装置。
【請求項３】
上記指定情報には、同一の形状の表示対象領域を表す複数の領域が表示順序とともに指定されており、
上記決定手段は、上記表示順序にしたがって、上記指定情報により指定されている上記複数の領域から上記表示対象領域を選択し、
上記表示制御手段は、上記決定手段において選択された表示対象領域を、上記表示順序にしたがって順次切り替えて表示することを特徴とする請求項２に記載の画像表示装置。
【請求項４】
上記指定情報は、上記画像データにより表される画像上の点のうち、表示部の中心に配する代表点を指定しており、
上記決定手段は、上記指定情報において指定されている代表点を領域の中心とした場合の領域であって、当該画像の表示先となる表示部の形状に相似な領域を、表示対象領域として選択することを特徴とする請求項１に記載の画像表示装置。
【請求項５】
上記指定情報には、上記代表点が選択順序とともに指定されており、
上記決定手段は、上記指定情報により指定される代表点から、上記選択順序にしたがって選択した代表点を用いて表示対象領域を選択し、
上記表示制御手段は、上記決定手段において選択された表示対象領域を、上記順序にしたがって順次切り替えて上記表示部全体に表示することを特徴とする請求項４に記載の画像表示装置。
【請求項６】
上記指定情報は、上記画像データに包含されていることを特徴とする請求項１から５のいずれか１項に記載の画像表示装置。
【請求項７】
動画像データと、当該動画像データに含まれる各シーンを構成するフレーム画像のどの領域を表示部に表示するかを指定する指定情報とを取得する取得手段と、
上記フレーム画像上のどの領域を表示部に表示するかを、上記シーンごとに関連付けられた上記指定情報と上記表示部の形状とに基づいて決定する決定手段と、
上記決定手段により決定された領域を表示対象領域として上記表示部全体に表示する表示制御手段と、を備えていることを特徴とする画像表示装置。
【請求項８】
画像データと、当該画像データにより表される画像のどの領域を表示部に表示するかを指定する指定情報とを取得する取得ステップと、
上記画像上のどの領域を表示部に表示するかを、上記指定情報と上記表示部の形状とに基づいて決定する決定ステップと、
上記決定ステップにより決定された領域を表示対象領域として上記表示部全体に表示する表示制御ステップと、
を含むことを特徴とする画像表示方法。
【請求項９】
請求項１から６のいずれか１項に記載の画像表示装置に対して画像データを供給する画像データ供給装置であって、
ユーザにより入力された情報に基づいて指定情報を作成する作成手段と、
上記作成手段において作成した指定情報を画像データに関連付けて供給する供給手段と、を備えていることを特徴とする画像データ供給装置。
【請求項１０】
請求項１から６のいずれか１項に記載の画像表示装置に対して画像データを供給する画像データ供給装置における画像データ供給方法であって、
ユーザにより入力された情報に基づいて指定情報を作成する作成ステップと、
上記作成ステップにおいて作成した指定情報を画像データに関連付けて供給する供給ステップと、
を含むことを特徴とする画像データ供給方法。
【請求項１１】
請求項１から６のいずれか１項に記載の画像表示装置を動作させるプログラムであって、コンピュータを上記の各手段として機能させるためのプログラム。
【請求項１２】
請求項１１に記載のプログラムを記録しているコンピュータ読み取り可能な記録媒体。
【発明の詳細な説明】
【技術分野】
【０００１】
本発明は、主として、外部装置から供給される画像を表示部に表示する画像表示装置および当該画像表示装置における画像表示方法に関する。また、本発明は、上記画像表示装置において表示する画像データを供給するデータ供給装置および画像データ供給方法にも関する。
【背景技術】
【０００２】
近年、テレビジョン受像機の薄型化が進み、動画を表示する機能以外にも、静止画をあたかも絵画のように表示したり、またはデジタルカメラにより撮影した写真のフォトフレームとして、画像をスライド表示したりするなどの、いわゆるギャラリーモード機能と称される機能を有したテレビも普及しつつある。
【０００３】
しかし、表示する画像の形状とテレビにおけるディスプレイの形状とが常に同じであるとは限らない。例えば、現在普及しているＨＤ（High Definition）映像などを表示可能なテレビでは１６：９のアスペクト比のディスプレイが一般的であるが、写真または絵画などは、１６：９のアスペクト比ではないことが多い。
【０００４】
そのため、アスペクト比が１６：９ではない画像をアスペクト比が１６：９のディスプレイに表示する場合には、図１６（ａ）および図１７（ａ）に示すように、画像が何も表示されていない領域（無表示領域）が生じることになる。画像を表示する際に無表示領域が生じていると、ユーザーは画像の見栄えが悪いと感じやすい。これは、特にギャラリーモードを実行している際に顕著である。
【０００５】
無表示領域が生じないようにするためには、図１６（ｂ）および図１７（ｂ）に示すように、画像をディスプレイの表示領域全体に拡大表示することが一般的である。しかし、図１６（ｂ）および図１７（ｂ）に示すように、画像を単純に拡大表示した場合には、画像の一部が切れてしまいかねず、無表示領域が生じている以上に見栄えを損ねることがままある。特に、パノラマ写真などのような縦横比が著しく異なる画像の場合には、元画像から大きく逸脱した画像が表示されてしまうおそれが高い。これは、画像を拡大して表示する場合のみならず、画像を縮小表示する場合であっても同様である。
【０００６】
特許文献１には、観賞用画像が縦姿勢画像であるか、横姿勢画像であるかを判定し、判定した姿勢の画像を表示部に表示する技術が開示されている。特許文献２には、アスペクト比の異なる領域に画像を貼り付ける際に元画像から貼り付け画像を切り出す技術が開示されている。また、特許文献３には、アスペクト比が１６：９ではない画像をアスペクト比が１６：９のディスプレイに表示させるための技術が開示されている。
【先行技術文献】
【特許文献】
【０００７】
【特許文献１】特開２００８−２０３８４７号公報（平成２０年９月４日公開）
【特許文献２】特開２００８−６５７９３号公報（平成２０年３月２１日公開）
【特許文献３】特開２００７−３１８７６６号公報（平成１９年１２月６日公開）
【発明の概要】
【発明が解決しようとする課題】
【０００８】
ディスプレイのアスペクト比、ひいてはディスプレイの形状は非常に多様であり、ある形状の画像をどのようなディスプレイにおいても見栄えよく表示させることは非常に困難である。例えば、ある画像の所定の領域を拡大表示した際に、１６：９のアスペクト比のディスプレイを用いているユーザーにとっては見栄えがよくなったとしても、４：３のアスペクト比のディスプレイを用いているユーザーにとっては見栄えが悪いまま（あるいは、より見栄えが悪くなる）となる可能性も十分に考えられる。
【０００９】
このような問題は、特許文献１および３に記載されているように画像の向きを調節したり、所定のアスペクト比のディスプレイにおいて表示できるようにアスペクト比を調節する技術では解決することはできない。特許文献２に記載の技術を用いたとしても、様々な形状のディスプレイのいずれであっても見栄えがよくなるように画像を切り出すことはできない。
【００１０】
また、ディスプレイの形状に応じた形状の画像データを予め作成し、メモリに記憶しておく場合には、様々な形状の画像データを記録しておくための大容量のメモリが必要になり、装置の大型化、販売コストの高騰などの新たな問題が生じることになる。
【００１１】
本発明は、上記の問題点に鑑みてなされたものであり、その目的は、いかなる形状のディスプレイ（表示部）に対しても、見栄えのよい画像を表示させることができる画像表示装置を提供することにある。
【課題を解決するための手段】
【００１２】
本発明に係る画像表示装置では、上記課題を解決するために、
画像データと、当該画像データにより表される画像のどの領域を表示部に表示するかを指定する指定情報とを取得する取得手段と、
上記画像上のどの領域を表示部に表示するかを、上記指定情報と上記表示部の形状とに基づいて決定する決定手段と、
上記決定手段により決定された領域を表示対象領域として上記表示部全体に表示する表示制御手段と、を備えていることを特徴としている。
【００１３】
本発明に係る画像表示装置は、取得した指定情報および画像の表示先となる表示部の形状に基づいて、画像データにより表される画像上の領域のうち、表示部に表示する領域を決定する決定手段と、決定した領域を表示対象領域として表示部全体に表示する表示制御手段とを備えている。
【００１４】
上記の構成によれば、本発明に係る画像表示装置では、指定情報および表示部の形状に応じて、画像の表示先の表示部に表示する領域（表示対象領域）を決定することができる。そのため、本発明に係る画像表示装置では、表示部の形状ごとに表示対象領域を変化させることができる。
【００１５】
これによって、本発明に係る画像表示装置では、表示対象領域を表示部の形状ごとに決定することができる。そのため、本発明に係る画像表示装置では、いかなる形状の表示部に対しても、見栄えのよい画像を表示させることができる効果を奏する。
【００１６】
また、本発明に係る画像表示装置では、さらに、上記指定情報には、上記画像データにより表される画像上のどの領域を表示対象領域として表示するかが表示部の形状ごとに指定されており、上記決定手段は、上記指定情報により指定されている領域から、上記画像の表示先となる表示部の形状に対応した領域を表示対象領域として選択することが好ましい。
【００１７】
上記の構成によれば、指定情報は、画像データ上の画像のどの領域を表示対象領域とするかを表示部の形状ごとに指定している。また、決定手段では、いずれの領域を表示対象領域とするかを、表示部の形状に応じて決定する。すなわち、表示対象領域は、決定手段において決定される領域と完全に一致する。
【００１８】
したがって、本発明に係る画像表示装置では、見栄えがよいだけではなく、指定情報を作成した作成者の意図した領域を表示部に表示させることができる効果を奏する。
【００１９】
言い換えれば、作成者が意図した領域のみを表示部に表示させることができる効果を奏する。これを利用して、表示部の形状毎に全く異なる画像を表示させることも可能である。
【００２０】
また、本発明に係る画像表示装置では、さらに、上記指定情報には、同一の形状の表示対象領域を表す複数の領域が表示順序とともに指定されており、上記決定手段は、上記表示順序にしたがって、上記指定情報により指定されている上記複数の領域から上記表示対象領域を選択し、上記表示制御手段は、上記決定手段において選択された表示対象領域を、上記表示順序にしたがって、順次切り替えて表示することが好ましい。
【００２１】
上記の構成によれば、指定情報により指定される領域から表示対象領域として選択する領域を、表示順序にしたがって決めることができる。また、本発明に係る画像表示装置では、選択された表示対象領域を、表示順序にしたがって順次切り替えて表示させることができる。
【００２２】
これによって、１つの画像データであっても、あたかも複数の画像データを順に表示しているかのようにスライドショー表示を行うことができる効果を奏する。すなわち、少ないメモリ容量で多量のスライドショーを表示させることもできるようになる。
【００２３】
また、本発明に係る画像表示装置では、さらに、上記指定情報は、上記画像データにより表される画像上の点のうち、表示部の中心に配する代表点を指定しており、上記決定手段は、上記指定情報において指定されている代表点を領域の中心とした場合の領域であって、当該画像の表示先となる表示部の形状に相似な領域を、表示対象領域として選択することが好ましい。
【００２４】
上記の構成によれば、指定情報は、画像上の点のうち、表示部の中心に配する代表点を指定している。そして、決定手段では、指定情報により指定された代表点を領域の中心としたときの領域であって、当該画像の表示先となる表示部の形状に相似な領域を表示対象領域として選択する。
【００２５】
これによって、指定情報の作成者が表示されている画像の視聴者に対して最も見せたい部分を中心にした領域を表示領域とすることができる。すなわち、本発明に係る画像表示装置では、見栄えがよいだけでなく、作成者の意図を反映させた画像を表示させることができる効果を奏する。
【００２６】
また、本発明に係る画像表示装置では、さらに、上記指定情報には、上記代表点が選択順序とともに指定されており、上記決定手段は、上記指定情報により指定される代表点から、上記選択順序にしたがって選択した代表点を用いて表示対象領域を選択し、上記表示制御手段は、上記決定手段において選択された表示対象領域を、上記順序にしたがって順次切り替えて上記表示部全体に表示することが好ましい。
【００２７】
上記の構成によれば、各代表点は、関連付けられた選択順序にしたがって選択され、表示対象領域は、選択された代表点を用いて決定することができる。すなわち、代表点が複数設定されている場合には、予め定められた順序にしたがって、表示部に表示する領域の決定に用いる代表点を選択していくことになる。また、本発明に係る画像表示装置では、決定された領域を、表示順序にしたがって順次切り替えて表示させることができる。
【００２８】
これによって、１つの画像データであっても、あたかも複数の画像データを順に表示しているかのようにスライドショー表示を行うことができる効果を奏する。すなわち、少ないメモリ容量で多量のスライドショーを表示させることもできるようになる。
【００２９】
また、本発明に係る画像表示装置では、さらに、上記表示領域決定情報は、上記画像データに包含されていることが好ましい。
【００３０】
上記の構成によれば、画像データを取得することにより表示領域決定情報を取得することができるため、表示領域決定情報を別に取得するという煩雑な操作を回避することができる効果を奏する。
【００３１】
また、表示領域決定情報を保管する際にも画像データと対応つける必要がなくなるため、保管の際の取り扱いを容易なものとすることができる。
【００３２】
本発明に係る画像表示装置では、上記課題を解決するために、
動画像データと、当該動画像データに含まれる各シーンを構成するフレーム画像のどの領域を表示部に表示するかを指定する指定情報とを取得する取得手段と、
上記フレーム画像上のどの領域を表示部に表示するかを、上記シーンごとに関連付けられた上記指定情報と上記表示部の形状とに基づいて決定する決定手段と、
上記決定手段により決定された領域を表示対象領域として上記表示部全体に表示する表示制御手段と、を備えていることを特徴としている。
【００３３】
上記の構成によれば、上述した画像表示装置と同様の作用効果を奏する。
【００３４】
本発明に係る画像表示方法では、上記課題を解決するために、
画像データと、当該画像データにより表される画像のどの領域を表示部に表示するかを指定する指定情報とを取得する取得ステップと、
上記画像上のどの領域を表示部に表示するかを、上記指定情報と上記表示部の形状とに基づいて決定する決定ステップと、
上記決定ステップにより決定された領域を表示対象領域として上記表示部全体に表示する表示制御ステップと、
を含むことを特徴としている。
【００３５】
上記の構成によれば、本発明に係る画像表示装置と同様の作用効果を奏する。
【００３６】
本発明に係る画像データ供給装置では、上記課題を解決するために、
本発明に係る画像表示装置に対して画像データを供給する画像データ供給装置であって、
ユーザにより入力された情報に基づいて指定情報を作成する作成手段と、
上記作成手段において作成した指定情報を画像データに関連付けて供給する供給手段と、を備えていることを特徴としている。
【００３７】
上記の構成によれば、ユーザにより入力された情報に基づいた指定を作成し、作成した指定情報と画像データとを関連付けて、画像表示装置に供給することができる。
【００３８】
これによって、本発明に係る画像データ供給において作成した指定情報に関連付けられた画像データを本発明に係る画像表示装置において表示する場合には、どのような形状の表示部に対しても、見栄えのよい画像を表示させることができる効果を奏する。
【００３９】
本発明に係る画像データ供給方法では、上記課題を解決するために、
本発明に係る画像表示装置に対して画像データを供給する画像データ供給装置における画像データ供給方法であって、
ユーザにより入力された情報に基づいて指定情報を作成する作成ステップと、
上記作成ステップにおいて作成した指定情報を画像データに関連付けて供給する供給ステップと、
を含むことを特徴としている。
【００４０】
上記の構成によれば、本発明に係る画像データ供給装置と同様の作用効果を奏する。
【００４１】
また、本発明に係る画像表示装置を動作させるためのプログラムであって、コンピュータを上記の各手段として駆動させることを特徴とするプログラムおよび該プログラムを記録したコンピュータ読み取り可能な記録媒体も本発明の範疇に含まれる。
【発明の効果】
【００４２】
以上のように、本発明に係る画像表示手段は、取得した指定情報および表示部の形状に基づいて、画像上のどの領域を表示部に表示するかを決定する決定手段と、決定した領域を表示対象領域として表示部全体に表示する表示制御手段とを備えている。
【００４３】
これによって、本発明に係る画像表示装置では、表示部に表示する領域を表示部の形状ごとに決定することができる。したがって、本発明に係る画像表示装置では、いかなる形状の表示部に対しても、見栄えのよい画像を表示させることができる効果を奏する。
【図面の簡単な説明】
【００４４】
【図１】本発明に係る画像表示装置の要部構成を示すブロック図である。
【図２】画像データが静止画像データである場合の表示領域決定情報の一例を示す図であり、（ａ）は表示領域決定情報のデータ構造の一例を示す図であり、（ｂ）は（ａ）において示したデータ構造の領域情報を表した画像データを示す図である。
【図３】本発明に係る画像表示装置における画像表示方法を示すフローチャートである。
【図４】様々なアスペクト比のディスプレイにおける画像の表示例を示す図であり、（ａ）は表示の対象となる画像データであり、（ｂ）はアスペクト比が１６：９のディスプレイにおける表示例であり、（ｃ）はアスペクト比が２１：９のディスプレイにおける表示例であり、（ｄ）はアスペクト比が４：３のディスプレイにおける表示例である。
【図５】様々なアスペクト比のディスプレイにおける画像の表示例を示す図であり、（ａ）は表示の対象となる画像データであり、（ｂ）はアスペクト比が１６：９のディスプレイにおける表示例であり、（ｃ）はアスペクト比が２１：９のディスプレイにおける表示例であり、（ｄ）はアスペクト比が４：３のディスプレイにおける表示例である。
【図６】１つの静止画像における各表示領域をスライドショー形式で表示する場合における画像の表示例を示す図であり、（ａ）は表示の対象となる画像の全画像領域を示しており、（ｂ）は（ａ）における領域１を表示した状態を示す図であり、（ｃ）は（ａ）における領域２を表示した状態を示す図であり、（ｄ）は（ａ）における領域３を表示した状態を示す図であり、（ｅ）は（ａ）における領域４を表示した状態を示す図である。
【図７】動画像データの構造を模式的に示す図である。
【図８】動画像データを構成する各シーンの一例を示す図である。
【図９】画像データが動画像データである場合の表示領域決定情報の一例を示す図であり、（ａ）は表示領域決定情報のデータ構造の一例を示す図であり、（ｂ）は（ａ）において示したデータ構造の領域情報を表したフレーム画像を示す図である。
【図１０】変形例における表示領域決定情報の一例を示す図であり、（ａ）は表示領域決定情報のデータ構造の一例を示す図であり、（ｂ）は（ａ）において示したデータ構造の代表座標を表した画像データを示す図である。
【図１１】画像表示装置の変形例における画像表示方法を示すフローチャートである。
【図１２】１つの静止画像における各表示領域をスライドショー形式で表示する場合における画像の表示例を示す図であり、（ａ）は表示の対象となる画像の全画像領域を示しており、（ｂ）は「代表座標１」を選択した場合の画像の表示を示す図であり、（ｃ）は「代表座標２」を選択した場合の画像の表示を示す図ある。
【図１３】実施形態２に係るカメラの要部構成を示すブロック図である。
【図１４】領域情報をパラメータとして持つ表示領域決定情報の作成を示す図であり、（ａ）は領域の形状を設定する状態を示す図であり、（ｂ）は領域の位置および大きさを設定する状態を示す図であり、（ｃ）は領域情報を決定した状態を示す図である。
【図１５】代表座標をパラメータとして持つ表示領域決定情報の作成を示す図であり、（ａ）は代表座標を設定を開始する状態を示す図であり、（ｂ）は代表座標の位置を設定する状態を示す図であり、（ｃ）は代表座標を決定した状態を示す図である。
【図１６】ディスプレイのアスペクト比と表示対象画像のアスペクト比とが異なる場合における、従来の表示を示す図であり、（ａ）は表示対象画像全体を表示した場合であり、（ｂ）はディスプレイにおいて無表示領域が無くなるように表示対象画像を拡大表示した場合である。
【図１７】ディスプレイのアスペクト比と表示対象画像のアスペクト比とが異なる場合における、従来の表示を示す図であり、（ａ）は表示対象画像全体を表示した場合であり、（ｂ）はディスプレイにおいて無表示領域が無くなるように表示対象画像を拡大表示した場合である。
【発明を実施するための形態】
【００４５】
〔実施形態１〕
（画像表示装置の概要）
本発明に係る画像表示装置の一実施形態について、図１〜１２（ａ）および（ｂ）を参照しつつ以下に説明する。本発明に係る画像表示装置は、外部から取得した動画像を表示することができると共に、外部から取得した静止画像も表示することができる装置である。このような画像表示装置としては、例えば、テレビジョン受像機を挙げることができる。もちろん、本発明に係る画像表示装置は、テレビジョン受像機にのみ限定されるものではなく、テレビジョン受像機と同様の機能を備えた携帯電話、携帯型情報機器、パーソナルコンピュータなどを挙げることができる。なお、本明細書等では、表示部において静止画像をスライドショー表示するか、または一枚表示する処理（または機能）を「ギャラリーモード（機能）」と称する。
【００４６】
（画像表示装置１００の構成）
図１に示すように、画像表示装置１００は、取得部１１０、抽出部１１１、表示領域決定部１１２、表示制御部１１３、表示部１１４および画像データ記録部１１５を備えている。これらの部材について、以下に説明する。
【００４７】
（取得部１１０）
取得部１１０は、通信手段またはインターフェース手段を介して、画像表示装置１００の外部の装置または外部の記録媒体から、表示部１１４に表示すべき画像データおよびその画像データにおける表示領域を決定する際に参照する表示領域決定情報を取得する。取得部１１０としては、例えば、放送データ受信部、外部インターフェース、通信部、赤外線通信部などを挙げることができるが、もちろんこれらに限定されるものではない。
【００４８】
放送データ受信部は、地上波デジタル放送や衛星放送などにより放送される画像データを受信し、チューナ、復調部、ＴＳデコーダ、ＡＶデコーダなどから構成される。
【００４９】
外部インターフェースは、外部記録媒体にアクセスし、外部記録媒体に記録されている画像データを読み取る。外部インターフェースが読み取り可能な外部記録媒体としては、ＵＳＢメモリ、ＳＤカード、ｍｉｎｉＳＤカード、ｍｉｃｒｏＳＤカード、メモリースティック（MEMORY STICK（登録商標））、スマートメディア（Smart Media（登録商標））、などの着脱可能な記録媒体、フラッシュメモリ、ハードディスクなどの補助記憶装置、あるいは、ディスク再生装置によって再生されるＣＤ−ＲＯＭ／ＭＯ／ＭＤ／ＤＶＤ／ＣＤ−Ｒ／ＢＤ等の光ディスクが挙げられる。
【００５０】
通信部は、通信網を介して他の通信装置と通信し、そこから画像データを取得する。通信部が取得する画像データとしては、例えば、インターネットを介してプロバイダのサーバ装置よりＨＴＴＰプロトコルを用いて配信されたインターネットコンテンツが挙げられる。あるいは、通信部は、家庭内ＬＡＮを介してホームサーバと無線あるいは有線通信して、該ホームサーバからホームネットワークコンテンツを取得することが考えられる。また、通信部は、ケーブルテレビのサービスプロバイダが供給するケーブルコンテンツを取得してもよい。
【００５１】
赤外線通信部は、携帯電話などの赤外線通信機能を有する装置から送信された画像データを受信する。より具体的には、赤外線通信部は、携帯電話から発せられた赤外線を受光して電気信号に変換する赤外線受光部（図示せず）を含んでいる。赤外線通信部は、上記赤外線受光部にて得られた電気信号を所定の赤外線通信プロトコル（例えば、ＩｒＳＳ通信）に従ってデジタルデータに変換して、それを画像データとして取得する。
【００５２】
（抽出部１１１）
抽出部１１１は、取得部１１０において取得した画像データに付加されている表示領域決定情報を抽出する。画像データに付加されている情報の抽出処理については、従来公知の技術を用いればよいため、ここではその説明を省略する。なお、表示領域決定情報の詳細については下記にて説明する。
【００５３】
（表示領域決定部１１２）
表示領域決定部１１２は、自装置の表示部１１４のアスペクト比および抽出部１１１において抽出した表示領域決定情報に基づいて、画像データの全画像領域のうち、表示部１１４において表示する表示領域を決定する。
【００５４】
（表示制御部１１３）
表示制御部１１３は、表示領域決定部１１２において決定された表示領域の表示を制御する。表示領域を表示部１１４に表示したときに画像の表示されない領域（無表示領域）が生じる場合には、表示制御部１１３は無表示領域が生じないように、表示領域を拡大する。
【００５５】
なお、抽出部１１１、表示領域決定部１１２、表示制御部１１３は、画像表示装置１００に備えられている各部を統括制御する制御部の一部である。機能ブロックとして示される抽出部１１１、表示領域決定部１１２、表示制御部１１３は、ＣＰＵ（central processing unit）がＲＯＭ（read only memory）などの記憶装置に記憶されている表示制御用のプログラムをＲＡＭ（random access memory）などに読み出して実行する。
【００５６】
（表示部１１４）
表示部１１４は、画像データなどのコンテンツを表示するディスプレイ装置である。表示部１１４として用いることができるディスプレイ装置は特に限定されるものではなく、液晶ディスプレイ、有機ＥＬディスプレイ、プラズマディスプレイなどを挙げることができる。
【００５７】
なお、本実施形態では、表示部１１４が画像表示装置１００に備えられている場合を例に挙げて説明しているが、表示部１１４は、画像表示装置１００と別体の装置であってもよい。
【００５８】
（画像データ記録部１１５）
画像データ記録部１１５は、取得部１１０において取得した画像データを記録する記録媒体である。画像データ記録部１１５は、画像データを記録可能な媒体であれば特に限定されるものではなく、フラッシュメモリ、ハードディスクなどの記録媒体を用いることができる。
【００５９】
（画像表示装置１００を構成する他の部材）
画像表示装置１００は、図１に図示した部材以外にも、例えば、記憶部および操作部を有していてもよい。
【００６０】
記憶部は、画像表示装置１００において実行される制御プログラム、ＯＳプログラム、および、画像表示装置１００が有する各種機能を実行されるときに読み出す各種データを記憶するものである。また、記憶部には、ユーザが選択した表示モードなどの各種設定情報を保存しておくこともできる。
【００６１】
操作部は、テレビ受像機１００を動作させるための信号をユーザが入力するための入力デバイスである。本実施形態では、操作部は、一例として、画像表示装置１００をリモート操作するためのリモートコントローラ（リモコン）などで構成されている。
【００６２】
（表示領域決定情報の詳細）
次に、本実施形態における表示領域決定情報について図２（ａ）および（ｂ）を参照しつつ以下に説明する。図２（ａ）および（ｂ）は、表示領域決定情報の一例を示す図であり、（ａ）は表示領域決定情報のデータ構造の一例を示す図であり、（ｂ）は（ａ）において示したデータ構造の領域情報を表した画像データを示す図である。
【００６３】
図２（ａ）に示すように、本項において説明する表示領域決定情報は、アスペクト比と、優先順位と、領域情報とが関連付けられて記録されているテーブルである。
【００６４】
表示領域決定情報における優先順位は、同一のアスペクト比の領域情報が複数ある場合に、表示領域決定部１１２において表示領域として決定される順序を示しており、番号が若い領域情報ほど先に選択される。
【００６５】
領域情報は、領域の位置、形状および大きさを指定している情報である。図２（ａ）に示すように、領域情報は一対の位置座標からなる。すなわち、図２（ａ）に示す表示領域決定情報では、位置座標に囲まれる矩形領域が表示領域として決定される領域となる。領域情報の設定方法については、実施形態２において詳述する。
【００６６】
アスペクト比は、領域情報において示される位置座標により表される矩形領域のアスペクト比（縦横比）である。なお、アスペクト比は、領域情報に基づいて算出することもできるため、アスペクト比の情報は、必ずしも表示領域決定情報に付与されている必要はない。
【００６７】
図２（ｂ）は、図２（ａ）に示すアスペクト比が１６：９の領域情報をある画像データ上に表した図である。すなわち、表示領域決定部１１２が図２（ａ）における優先順位「１」の領域情報を表示領域として決定した場合には、図２（ｂ）における「１」の矩形領域が表示領域として決定されたことになる。このとき、表示領域のサイズが表示部１１４のサイズ（ピクセル）よりも小さい場合には、画像の表示されない無表示領域が生じる。この場合、画像表示装置１００は、無表示領域が生じないように、図２（ｂ）における「１」の矩形領域を拡大して表示する。なお、図２（ａ）における優先順位「２」以上の領域情報が選択された場合もこれと同様である。
【００６８】
逆に、表示領域のサイズが表示部１１４のサイズよりも大きい場合には、表示領域が表示部１１４のサイズと同じサイズになるように縮小して表示する。
【００６９】
（画像表示装置１００における画像表示処理フロー）
次に、画像表示装置１００における画像表示動作処理について、図３を参照しつつ以下に説明する。本項では、画像表示装置１００がギャラリーモード機能を実行し、静止画像を表示部１１４に表示する場合を例に挙げて説明する、画像表示装置１００において表示させることができる静止画像データは、特に限定されるものではなく、例えばＪＰＥＧ画像データ、ＰＮＧ画像データなどを挙げることができる。図３は、画像表示装置１００における画像表示処理を示すフローチャートである。
【００７０】
画像表示装置１００がユーザーから静止画像を表示するギャラリーモードの実行指示を受けると、取得部１１０は、外部装置（または外部メモリ）から画像データを取得する（ステップＳ１）。次に、抽出部１１１は、取得した画像データから表示領域決定情報を抽出する（ステップＳ２）。なお、取得した画像データを画像データ記録部１１５に記録しておき、ギャラリーモードの実行指示を受けたときに抽出部１１１が画像データ記録部１１５における画像データから表示領域決定情報を抽出するようにしてもよい。
【００７１】
表示領域決定部１１２は、抽出した表示領域決定情報におけるアスペクト比のうちで、表示部１１４のアスペクト比に一致するものがあるか否かを判定する（ステップＳ３）。表示領域決定情報に表示部１１４のアスペクト比に一致するアスペクト比がある場合（ステップＳ３においてＹｅｓ）、表示領域決定部１１２は、表示部１１４のアスペクト比に一致するアスペクト比の領域情報により表される領域を表示領域として決定する（ステップＳ４）。このとき、表示領域決定情報における領域情報に優先順位が設定されている場合、表示領域決定部１１２は、優先順位にしたがって領域情報を選択する。
【００７２】
なお、表示領域決定情報に表示部１１４のアスペクト比に一致するアスペクト比がない場合（ステップＳ３においてＮｏ）、表示領域決定部１１２は、画像表示動作を終了する。この場合、予め設定されている処理に応じて、画像データを表示部１１４に表示する。
【００７３】
次に、表示制御部１１３は、決定した表示領域を表示部１１４に表示する（ステップＳ５）。このとき、表示制御部１１３は、表示部１１４において無表示領域が生じないように、表示領域を適宜拡大して表示する。表示領域のサイズが表示部１１４のサイズよりも大きい場合には、表示制御部１１３は、表示部領域のサイズが表示部１１４のサイズと同じになるように縮小する。いずれの場合であっても、表示領域のアスペクト比と表示部１１４のアスペクト比は同値であるため、表示領域はアスペクト比を維持しつつ所定倍すればよい。
【００７４】
続いて、画像表示装置１００は、ギャラリーモードの実行を終了する指示を受けたか否かを判定する（ステップＳ６）。ギャラリーモードの実行を終了する指示を受けた場合には（ステップＳ６においてＹｅｓ）、表示部１１４における画像データの表示を終了する。
【００７５】
一方、ギャラリーモードの実行を終了する指示を受けていない場合には（ステップＳ６においてＮｏ）、画像表示装置１００は、ステップＳ４からの処理を再度実施する。このとき、表示領域決定情報における領域情報に優先順位が設定されている場合には、表示領域決定部１１２は、先に選択した領域情報の次の優先順位の優先順位の領域情報を選択する。また、表示領域決定情報に表示部１１４に一致するアスペクト比の領域情報が１つしかない場合には、表示領域決定部１１２は、同じ領域情報を選択するようにしてもよいし、画像表示装置１００が他の画像データを取得するようにしてもよい。
【００７６】
（画像表示装置１００の利点）
以上説明したように、画像表示装置１００では、表示部１１４のアスペクト比に応じて、表示領域決定情報に付与されているパラメータに基づいた領域を表示領域として決定し、決定された表示領域を表示部１１４全体に表示させることができる。
【００７７】
これによって、画像表示装置１００では、表示部１１４の形状がいかなる形状であったとしても、予め定められたパラメータに基づいた表示領域を表示部１１４に表示させることができる。したがって、画像表示装置１００では、いかなる形状の表示部１１３に対しても、見栄えのよい画像を表示させることができる。
【００７８】
また、画像表示装置１００では、表示領域決定情報には、領域の形状を表す領域情報がパラメータとして付与されている。そして、表示領域決定部１１２では、表示部１１４の形状と同一の形状の領域を表示領域として決定する。そのため、表示部１１４において表示される表示領域は、領域情報により表される領域と完全に一致する。
【００７９】
したがって、画像表示装置１００では、見栄えがよいだけではなく、表示領域決定情報を作成した作成者の意図した領域を表示部１１４において表示させることもできる。
【００８０】
言い換えれば、作成者が意図した領域のみを表示部１１４に表示させることができる。これを利用すれば、表示部１１４の形状毎に全く異なる画像を表示させることも可能である。
【００８１】
また、画像表示装置１００では、各領域情報に関連付けられた順序にしたがって、各領域情報を表示領域として決定することができる。これによって、１つの画像データであっても、あたかも複数の画像データを順に表示しているかのようにスライドショー表示を行うことができる。すなわち、画像表示装置１００では、少ないメモリ容量で多量のスライドショーを表示させることもできる。
【００８２】
（静止画像の表示例）
次に、上述した画像表示処理に基づいた、画像表示装置１００における静止画像の表示例を図４（ａ）〜（ｄ）を参照しつつ以下に説明する。図４（ａ）〜（ｄ）は、様々なアスペクト比のディスプレイにおける画像の表示例を示す図であり、（ａ）は表示の対象となる画像データの全画像領域を示しており、（ｂ）はアスペクト比が１６：９のディスプレイにおける表示例であり、（ｃ）はアスペクト比が２１：９のディスプレイにおける表示例であり、（ｄ）はアスペクト比が４：３のディスプレイにおける表示例である。
【００８３】
本項における表示領域決定情報には、アスペクト比が１６：９、２１：９および４：３のディスプレイにおける表示領域が１つずつ付与されている。図４（ａ）には、表示領域決定情報に基づく領域を画像データ上に表示したものである。
【００８４】
表示部１１４のアスペクト比が１６：９である場合、表示領域決定部１１２は、図４（ａ）に示す（１）の領域を表示領域として決定する。そして、表示制御部１１３は、（１）の領域を表示部１１４に表示する（図４（ｂ））。同様に、表示部１１４のアスペクト比が２１：９である場合、表示領域決定部１１２は、図４（ａ）に示す（２）の領域を表示領域として決定する。そして、表示制御部１１３は、（２）の領域を表示部１１４に表示する（図４（ｃ））。また、表示部１１４のアスペクト比が４：３である場合、表示領域決定部１１２は、図４（ａ）に示す（３）の領域を表示領域として決定する。そして、表示制御部１１３は、（３）の領域を表示部１１４に表示する（図４（ｄ））。
【００８５】
また、画像表示装置１００における静止画像の表示例を図５（ａ）〜（ｄ）を参照しつつ以下に説明する。図５（ａ）〜（ｄ）は、様々なアスペクト比のディスプレイにおける画像の表示例を示す図であり、（ａ）は表示の対象となる画像データの全画像領域を示しており、（ｂ）はアスペクト比が１６：９のディスプレイにおける表示例であり、（ｃ）はアスペクト比が２１：９のディスプレイにおける表示例であり、（ｄ）はアスペクト比が４：３のディスプレイにおける表示例である。
【００８６】
ここでも、図４（ａ）〜（ｄ）を参照して説明した場合と同様に、表示部１１４のアスペクト比が１６：９である場合、表示領域決定部１１２は、図５（ａ）に示す（１）の領域を表示領域として決定する。そして、表示制御部１１３は、（１）の領域を表示部１１４に表示する（図５（ｂ））。同様に、表示部１１４のアスペクト比が２１：９である場合、表示領域決定部１１２は、図５（ａ）に示す（２）の領域を表示領域として決定する。そして、表示制御部１１３は、（２）の領域を表示部１１４に表示する（図５（ｃ））。また、表示部１１４のアスペクト比が４：３である場合、表示領域決定部１１２は、図５（ａ）に示す（３）の領域を表示領域として決定する。そして、表示制御部１１３は、（３）の領域を表示部１１４に表示する（図５（ｄ））。
【００８７】
このように同じアスペクト比の表示部１１４を用いている図４（ｂ）と図１６（ｂ）および図５（ｂ）と図１７（ｂ）とを比較すれば、表示されている画像における顔などの一部が切れることなく表示されているため、図４（ｂ）および図５（ｂ）の方が見栄えがよい画像となっている。また、図４（ｃ）および（ｄ）ならびに図５（ｃ）および（ｄ）からわかるように、画像表示装置１００における表示部１１４のアスペクト比が２１：９または４：３であっても、顔などの一部が切れることなく画像を表示することができていることがわかる。
【００８８】
（画像をスライドショー形式で表示する）
表示領域決定情報に同一のアスペクト比を表す領域情報が複数付与されている場合の静止画像の表示例を図６（ａ）〜（ｅ）を参照しつつ以下に説明する。
【００８９】
図６（ａ）〜（ｅ）は、１つの静止画像における各表示領域をスライドショー形式で表示する場合における画像の表示例を示す図であり、（ａ）は表示の対象となる画像の全画像領域を示しており、（ｂ）は「領域１」を表示領域としてディスプレイに表示した状態を示す図であり、（ｃ）は「領域２」を表示領域としてディスプレイに表示した状態を示す図であり、（ｄ）は「領域３」を表示領域としてディスプレイに表示した状態を示す図であり、（ｅ）は「領域４」を表示領域としてディスプレイに表示した状態を示す図である。
【００９０】
図６（ａ）には、表示領域決定情報に付与されている領域情報の表す各領域を表示対象の画像データに表している。なお、本項では、表示部１１４のアスペクト比が１６：９であり、表示領域決定情報において、アスペクト比１６：９の領域情報が「領域１」〜「領域４」まで付加されている場合を例に挙げて説明する。なお、各領域情報の優先順位は、「領域１」が最も高く、降順に低くなっているものとする。
【００９１】
表示領域決定部１１２は、表示領域決定情報に同一のアスペクト比の領域を表す情報が複数付与されているため、最も優先順位の高い図６（ａ）に示す「領域１」を表示領域として決定する。そして、表示制御部１１３は、「領域１」を表示部１１４に表示する（図６（ｂ））。次に、表示領域決定部１１２は、「領域１」の次に優先順位の高い「領域２」を表示領域として決定し、表示制御部１１３は、「領域２」を表示部１１４に表示する（図６（ｃ））。同様に、表示領域決定部１１２は、「領域２」の次に優先順位の高い「領域３」を表示領域として決定し、表示制御部１１３は、「領域３」を表示部１１４に表示する（図６（ｄ））。最後に、表示領域決定部１１２は、「領域３」の次に優先順位の高い「領域４」を表示領域として決定し、表示制御部１１３は、「領域４」を表示部１１４に表示する（図６（ｅ））。このとき、「領域３」および「領域４」のサイズは、表示部１１４のサイズよりも小さいため、表示制御部１１３は、表示部１１４において無表示領域が生じないように、「領域３」および「領域４」を拡大して表示する。
【００９２】
このように、同一のアスペクト比の領域を表す領域情報が複数付与されている表示領域決定情報であれば、それぞれの領域情報により表される表示領域を順に表示させることができる。すなわち、１つの画像データであっても、スライドショー形式で表示させることができる。ここで、本明細書等における「スライドショー」とは、表示部１１４に表示される画像が所定時間毎か、または、所定の指示を受ける度に順次切り替えて表示されることを意味している。
【００９３】
なお、表示する画像の切り替えは、所定の時間が経過する毎に自動的に行うようにしてもよいし、ユーザーからの指示に基づいて行われるようにしてもよい。表示画像の切り替えを自動で行う場合には、画像表示装置１００がタイマーを備えており、タイマーの経過時間が所定の時間に達したときに、表示領域決定部１１２が表示領域を決定するようにすればよい。一方、ユーザーの指示に基づいて切り替える場合には、ユーザーの操作部を介した指示により切り替えるようにすればよい。
【００９４】
また、本実施形態では、各領域情報に関連付けられた優先順位にしたがって、各領域情報を選択する処理としているが、もちろんこれに限定されるものではなく、同一のアスペクト比の領域情報がある場合に、ユーザーが選択する領域情報を適宜決定するようにしてもよい。
【００９５】
（動画像データを表示する）
上述した画像表示処理の説明では、静止画像を表示部１１４に表示する場合を例に挙げて説明しているが、もちろん動画像を表示部１１４に表示させることもできる。動画像を表示部１１４に表示する場合の一例を図７〜図９（ａ）および（ｂ）を参照しつつ以下に説明する。なお、本項では、アスペクト比が１６：９の表示部１１４において動画像を表示する場合を例に挙げて説明する。
【００９６】
図７に示すように、動画像データは、時間軸に沿ってフレーム画像が並んでいるデータとみなすことができる。そのため、動画像データを構成する各フレーム画像は、静止画像とみなすことができる。したがって、上述した画像表示処理とほぼ同様の処理を用いて、動画像データにおける所定の表示領域を表示部１１４に表示させることができる。なお、図７は、動画像データの構造を模式的に示す図である。
【００９７】
上述したように、動画像データはフレーム画像の連続により構成されているため、表示領域決定情報は、フレーム画像毎に付加することが好ましい。しかし、動画像データによっては、フレーム画像が膨大な量となっていることがあるため、フレーム画像一枚一枚に表示領域決定情報を付加することが困難な場合がある。そのような場合には、複数のフレーム画像からなるシーンごとに表示領域決定情報を付加するようにすればよい。
【００９８】
ここで、時間的に近いフレーム画像同士は、非常に似ているという特徴をもつ。図８には、動画像データを構成する各シーンの一例を示している。図８に示すシーンは、それぞれ、シーン１は「親子」が表示されているシーンであり、シーン２は「くま」が表示されているシーンであり、シーン３は「人と山と太陽」が表示されているシーンである。各シーンのフレーム画像は１つしか例示していないが、各シーンを構成するフレーム画像は図９において例示しているフレーム画像の構成と非常によく似た構成となっている。したがって、各シーンごとに表示領域決定情報を付加すれば、表示領域決定情報を付加するという煩雑な処理を回避することができる。動画像データをシーンに分けるための処理としては、前後のフレーム画像同士を比較し、フレーム画像の構成が所定以上の相違度を有する場合に、そのフレーム画像の間でシーンを分割する処理を用いることができる。
【００９９】
続いて、画像データが動画像データの場合の表示領域決定情報の一例を、図９（ａ）および（ｂ）を参照しつつ以下に説明する。図９（ａ）および（ｂ）は、画像データが動画像データである場合の表示領域決定情報の一例を示す図であり、（ａ）は表示領域決定情報のデータ構造の一例を示す図であり、（ｂ）は（ａ）において示したデータ構造の領域情報を表したフレーム画像を示す図である。
【０１００】
アスペクト比は、領域情報において示される位置座標により表される矩形領域のアスペクト比（縦横比）である。
【０１０１】
表示領域決定情報におけるシーンは、動画像データにおけるシーンの番号である。ここでは、シーン１〜３の３つのシーンからなる動画像データであるため、１〜３の値が割り振られている。
【０１０２】
領域情報は、領域の位置、形状および大きさを指定している情報である。図２（ａ）と同様に、図９（ａ）に示す表示領域決定情報もまた、領域情報は一対の位置座標からなる。すなわち、領域情報において示される位置座標に囲まれる矩形領域が表示領域として決定される領域となる。
【０１０３】
図９（ｂ）は、図９（ａ）に示すアスペクト比が１６：９の領域情報をシーン１〜３おいて表した図である。すなわち、シーン１が再生されている場合、表示領域決定部１１２は、図９（ａ）におけるシーン１の領域情報により表される領域を表示領域として決定する。すなわち、表示制御部１１３は、図９（ｂ）において破線で示されている矩形領域を表示部１１４に表示する。同様に、シーン２が再生されている場合、表示制御部１１３は、図９（ｂ）において破線で示されている矩形領域の画像を表示部１１４に表示し、シーン３が再生されている場合、表示制御部１１３は、図９（ｂ）において破線で示されている矩形領域の画像を表示部１１４に表示する。
【０１０４】
なお、表示部１１４のアスペクト比が１６：９ではない場合には、異なる領域が表示領域として決定されるため、表示部１１４には、図９（ｂ）とは異なる映像が表示されることになる。
【０１０５】
（変形例）
上述した実施形態では、表示領域決定情報がアスペクト比と、優先順位と、領域情報とが関連付けられて記録されているテーブルである場合を例に挙げて説明したが、もちろんこれに限定されるものではない。本項では、表示領域決定情報が優先順位と代表座標とが関連付けられたテーブルである場合を画像表示装置１００の変形例として、図１０（ａ）および（ｂ）〜１２（ａ）および（ｂ）を参照しつつ以下に説明する。
【０１０６】
（変形例における表示領域決定情報）
まず、変形例における表示領域決定情報について図１０（ａ）および（ｂ）を参照しつつ以下に説明する。図１０（ａ）および（ｂ）は、変形例における表示領域決定情報の一例を示す図であり、（ａ）は表示領域決定情報のデータ構造の一例を示す図であり、（ｂ）は（ａ）において示したデータ構造の代表座標を表した画像データを示す図である。
【０１０７】
優先順位は、表示領域決定部１１２において選択される順位である。代表座標は、表示部１１４において画像データを表示する際に中心となる位置の座標を示している。
【０１０８】
図１０（ｂ）は、図１０（ａ）に示す代表座標を画像データ上に表した図である。すなわち、表示領域決定部１１２が図１０（ａ）における優先順位「１」の代表座標を選択した場合、図１０（ｂ）における（１）の点を表示部１１４の中心に据えて画像を表示する。同様に、表示領域決定部１１２が図１０（ａ）における優先順位「２」の代表座標を選択した場合、図１０（ｂ）における（２）の点を表示部１１４に据えて画像を表示する。
【０１０９】
（変形例における画像表示処理フロー）
変形例における画像表示処理動作を図１１を参照しつつ以下に説明する。図１１は、画像表示装置１００の変形例における画像表示方法を示すフローチャートである。
【０１１０】
まず、取得部１１０が外部装置から画像データを取得すると（ステップＳ１０）、抽出部１１は、画像データに含まれている表示領域決定情報を抽出する（ステップＳ１１）。ここまでの処理は、上述した画像表示装置１００における画像表示処理と同様である。
【０１１１】
次に、表示領域決定部１１２は、抽出された表示領域決定情報に付与されている代表座標を選択する（ステップＳ１２）。なお、表示領域決定情報に代表座標が複数付与されている場合には、優先順位の最も高い代表座標を選択する。表示領域決定部１１２は、選択した代表座標を表示部１１４における中心座標としたときに表示される画像領域から、画像データの画像領域を最大限含むように、表示部１１４の形状に応じた形状の領域を切り出す（ステップＳ１３）。表示領域決定部１１２は、切り出された領域を表示領域とする。
【０１１２】
表示制御部１１３は、決定された表示領域を表示部１１４において無表示領域が生じないように表示する（ステップＳ１４）
画像表示装置１００は、ギャラリーモードの実行を終了する指示を受けたか否かを判定する（ステップＳ１５）。ギャラリーモードの実行を終了する指示を受けた場合には（ステップＳ１５においてＹｅｓ）、表示部１１４における画像データの表示を終了する。
【０１１３】
一方、ギャラリーモードの実行を終了する指示を受けていない場合には（ステップＳ１５においてＮｏ）、画像表示装置１００は、ステップＳ１２からの処理を再度実施する。このとき、表示領域決定情報における代表座標に優先順位が設定されている場合には、表示領域決定部１１２は、先に選択した領域情報の次の優先順位の優先順位の代表座標を選択する。また、表示領域決定情報に代表座標が１つしか付与されていない場合には、表示領域決定部１１２は、同じ代表座標を選択するようにしてもよいし、画像表示装置１００が他の画像データを取得するようにしてもよい。
【０１１４】
（変形例の利点）
以上説明したように、表示領域決定情報に画像データにおける代表座標がパラメータとして付与されている場合、表示領域決定部１１２では、代表座標を表示部１１４における中心座標としたときに、表示部１１４の形状に応じた領域であって、画像データの領域を最大限に含む領域を表示領域として決定する。
【０１１５】
これによって、表示領域決定情報の作成者が表示されている画像の視聴者に対して最も見せたい部分を中心にした領域を表示領域とすることができる。すなわち、見栄えがよいだけでなく、作成者の意図を反映させた画像を表示させることができる。
【０１１６】
また、各代表座標に関連付けられた順序にしたがって、各領域情報を表示領域として決定することができる。これによって、１つの画像データであっても、あたかも複数の画像データを順に表示しているかのようにスライドショー表示を行うことができる。すなわち、少ないメモリ容量で多量のスライドショーを表示させることもできる。
【０１１７】
（変形例における静止画像の表示例）
ここで、表示領域決定情報に複数の代表座標付与されている場合の静止画像の表示例を図１２（ａ）〜（ｃ）を参照しつつ以下に説明する。
【０１１８】
図１２（ａ）〜（ｃ）は、１つの静止画像における各表示領域をスライドショー形式で表示する場合における画像の表示例を示す図であり、（ａ）は表示の対象となる画像の全画像領域を示しており、（ｂ）は「代表座標１」を選択した場合の画像の表示を示す図であり、（ｃ）は「代表座標２」を選択した場合の画像の表示を示す図ある。
【０１１９】
図１２（ａ）には、表示領域決定情報に付与されている代表座標を画像データに表している。なお、本項では、表示部１１４のアスペクト比が１６：９であり、表示領域決定情報において代表座標が２つ付与されている場合を例に挙げて説明する。なお、代表座標の優先順位は、「代表座標１」、「代表座標２」の順とする。
【０１２０】
表示領域決定部１１２は、図１２（ａ）に示す位置座標に位置する「代表座標１」を選択すると、「代表座標１」を表示部１１４の中心座標として画像を表示する。「代表座標１」を表示部１１４の中心座標とした場合には、表示部１１４において無表示領域が生じない。そのため、「代表座標１」を選択した場合には、表示部１１４の形状と合同になるように画像データの画像領域を切り出し、表示領域とする。言いかえれば、表示領域決定部１１２は、表示部１１４に表示されない領域を切り取る（図１２（ｂ））。
【０１２１】
次に、表示領域決定部１１２は、図１２（ａ）に示す位置座標に位置する「代表座標２」を選択すると、「代表座標２」を表示部１１４の中心座標として画像を表示する。「代表座標２」を表示部１１４の中心座標とした場合には、表示部１１４における下および右に無表示領域が生じることになる。したがって、表示領域決定部１１２は、表示部１１４に表示される領域から、表示部１１４の形状と相似な形状となるような領域を切り出す。このとき、表示領域決定部１１２は、表示対象となる画像データの画像領域を最大限含むように領域を切り出す。そして、表示領域決定部１１２は、切り出した領域を表示領域とする。表示制御部１１３は、表示部１１４において無表示領域が生じないように、表示領域を拡大して表示する（図１２（ｃ））。
【０１２２】
なお、表示領域決定部１１２は、表示対象となる画像データの画像領域を表示部１１４のサイズと同一となる領域になるように切り出してもよい。
【０１２３】
このように、代表座標が複数付与されている表示領域決定情報であれば、それぞれの代表座標に基づいて決定される表示領域を順に表示させることができる。すなわち、１つの画像データであっても、スライドショー形式で表示させることができる。
【０１２４】
（付記事項）
表示領域決定情報は、画像データに関連付けられていればよく、画像データに付加されていてもよい。表示領域決定情報を画像データに付加する場合には、例えば、画像データがＪＰＥＧ形式の画像（ＪＰＥＧ画像）である場合には、ＪＰＥＧ画像におけるＥＸＩＦ領域に含めるようにすればよい。また、画像データがＰＮＧ形式の画像（ＰＮＧ画像）である場合には、ＰＮＧ画像の補助チャンクに付随させるようにすればよい。
【０１２５】
もちろん、表示領域決定情報は、該当する画像データに関連付けられていれば画像データと一体となっている必要はない。表示領域決定情報が画像データに付加されていない場合の画像データと表示領域決定情報との関連付けの手法については、特に限定されるものではなく、従来公知の手法を用いることができる。例えば、画像データおよび表示領域決定情報のファイル名を対応付けた名称とすることにより関連付けるようにすればよい。
【０１２６】
また、表示領域決定情報が画像データに付加されていない場合、取得部１１０は、画像データと共に表示領域決定情報も併せて取得することになる。このとき、表示領域決定情報も画像データと同様に、外部装置から同軸ケーブルを介して有線通信により取得してもよいし、無線通信により取得するようにしてもよい。また、画像表示装置１００がネットワークに接続されている場合には、ネットワークを介して取得するようにしてもよい。
【０１２７】
また、本明細書等では、発明の内容の理解を容易にするために、表示領域が矩形となる場合についてのみ説明したが、もちろん表示領域の形状は矩形に限定されるものではなく、円形および矩形以外の多角形であってもよい。表示領域決定情報におけるパラメータは、表示領域の形状および大きさを特定できるパラメータとすればよい。例えば、表示領域を円形とする場合には、円の中心座標および半径（直径）を領域情報とすればよい。
【０１２８】
〔実施形態２〕
実施形態１において説明した画像表示装置１００において参照する表示領域決定情報を作成するデータ作成装置の一実施形態を実施形態２として、図１３〜１５（ａ）〜（ｃ）を参照しつつ以下に説明する。なお、本実施形態では、データ作成装置がデジタルカメラに含まれている場合を例に挙げて説明する。もちろん、本発明に係るデータ作成装置の機能はカメラに含まれるものに限定されるものではなく、パーソナルコンピュータなどの他装置に含まれていてもよい。
【０１２９】
（カメラ２００の構成）
本実施形態に係るカメラの要部構成を図１３を参照しつつ以下に説明する。図１３は、カメラ２００の要部構成を示すブロック図である。
【０１３０】
カメラ２００は、図１３に示すように、撮像部２１０、データ作成制御部２１１、通信部２１２、操作入力部２１３、記録部２１４および表示部２１５を備えている。これらの部材について以下に説明する。
【０１３１】
（撮像部２１０）
撮像部２１０は、被写体を撮像することにより画像データを生成する。より具体的には、基板に電気的に接続されているセンサチップが、当該センサチップの有効画素領域において受光した光を電気信号に変換する。センサチップは、ＣＣＤまたはＣ−ＭＯＳなどの固体撮像素子を用いることができる。
【０１３２】
（データ作成制御部２１１）
データ作成制御部２１１は、操作入力部２１３から入力される情報に基づいて、表示領域決定情報を作成する。このとき、データ作成制御部２１１は、作成した表示領域決定情報を、画像データに関連付ける。
【０１３３】
画像データ中に表示領域決定情報を含める場合には、画像データにおける所定のデータ領域に、操作入力部２１３から入力される情報に基づいて設定されるパラメータを付随させる。
【０１３４】
（通信部２１２）
通信部２１２は、カメラ２００において生成した画像データおよび当該画像データを画像表示装置において表示させる際に参照する表示領域決定情報を、画像表示装置に出力する。通信部２１２としては、取得部１１０においてデータが取得可能な方式によりデータを出力することができるものであれば、特に限定されるものではない。
【０１３５】
（操作入力部２１３）
操作入力部２１３は、複数のキーからなる。操作入力部２１３は、これらのキーが押下されると、所定の信号をデータ作成制御部２１１に出力する。これにより、ユーザーはカメラ２００に所定の処理を実行させることができる。例えば、ユーザーは、十字キーなどのカーソルキーを押下することにより、当該キーに対応付けられている処理をカメラ２００に実行させることができる。
【０１３６】
（記録部２１４）
記録部２１４は、データ作成制御部２１１において作成した表示領域決定情報およびその表示領域決定情報に関連付けられた画像データを記録しておくための記録媒体である。
【０１３７】
図１３では、記録部２１４は、フラッシュメモリのような補助記憶装置であってもよいし、ＵＳＢメモリ、ＳＤカード、ｍｉｎｉＳＤカード、ｍｉｃｒｏＳＤカード、メモリースティック（MEMORY STICK（登録商標））、スマートメディア（Smart Media（登録商標））、などの着脱可能な記録媒体であってもよい。
【０１３８】
（表示部２１５）
表示部２１５は、撮像部２１０において生成した画像データをユーザーに対して表示するディスプレイである。また、表示部２１５における表示は、操作入力部２１３における操作に応じて変更される。
【０１３９】
（表示領域決定情報の作成フロー）
次に、表示領域決定情報の作成処理動作について、以下に説明する。撮像部２１０は、ユーザーからの指示に基づいて（すなわち、シャッターボタンが押下されると）、被写体を撮像し、画像データを生成する。生成された画像データは、表示部２１５に表示される。したがって、以降、ユーザーは、表示部２１５に表示されている画像データを見つつ、操作入力部２１３におけるキーを操作することになる。
【０１４０】
データ作成制御部２１１は、ユーザーの操作入力部２１３を介した指示に基づいて、表示領域決定情報を作成する。そして、データ作成制御部２１１は、撮像部２１０において生成した画像データと生成した表示領域決定情報を関連付けて記録部２１４に記録する。
【０１４１】
通信部２１２は、ユーザーからの画像データの送信指示を受けると、記憶部２１４に記憶されている画像データを外部装置に供給すると共に、当該画像データに関連付けられている表示領域決定情報を供給する。
【０１４２】
（領域情報をパラメータとしてもつ表示領域決定情報の作成フローの詳細）
データ作成制御部２１１における表示領域決定情報の作成方法の詳細について、図１４（ａ）〜（ｃ）を参照しつつ以下に説明する。図１４（ａ）〜（ｃ）は、領域情報をパラメータとして持つ表示領域決定情報の作成を示す図であり、（ａ）は領域の形状を設定する状態を示す図であり、（ｂ）は領域の位置および大きさを設定する状態を示す図であり、（ｃ）は領域情報を決定した状態を示す図である。
【０１４３】
まず、データ作成制御部２１１は、表示部２１５に領域の形状を設定するためのメニュー画面を表示する。ユーザーは、操作入力部２１３を介して、所望する領域の形状を設定する。図１４（ａ）では、領域の形状として。２１：９、１６：９、４：３の矩形領域のいずれかを設定する場合を例示している。
【０１４４】
次に、データ作成制御部２１１は、図１４（ｂ）に示すように、ユーザーの指定した形状の領域（図１４（ｂ）において破線により示す領域）を表示部２１５に表示する。このとき、表示される領域の大きさは、所定の大きさであると共に、表示される位置も所定の位置である。そのため、ユーザーは、表示部２１５に表示されている領域を操作入力部２１３を介して所望の大きさに設定すると共に、所望の位置に移動させる。
【０１４５】
最後に、データ作成制御部２１１は、操作入力部２１における決定ボタンが押下されたときの領域の形状、大きさ、位置に基づいた領域情報をパラメータとしてもつ表示領域決定情報を作成する。データ作成制御部２１１は、作成した表示領域決定情報を画像データに関連付けて記録する。このとき、図１４（ｃ）に示すように、カメラ２００は、表示部２１５に表示領域決定情報を画像データに関連付けたことを通知するメッセージをユーザーに対して表示するようにする。
【０１４６】
表示領域決定情報に複数のパラメータを付与する場合には、再度同様の処理を続ければよい。また、領域情報に優先順を関連付ける場合には、優先順位はパラメータを設定した順に自動的に割り振られるようにしてもよいし、パラメータを設定するたびにユーザーが適宜設定するようにしてもよい。
【０１４７】
（代表座標をパラメータとしてもつ表示領域決定情報の作成フローの詳細）
なお、上記では、領域情報をパラメータとしてもつ表示領域決定情報を作成する場合を例に挙げて説明しているが、作成する表示領域決定情報は、代表座標をパラメータとしてもつ表示領域決定情報であってもよい。代表座標をパラメータとしてもつ表示領域決定情報の作成方法について、図１５（ａ）〜（ｃ）を参照しつつ以下に説明する。図１５（ａ）〜（ｃ）は、代表座標をパラメータとして持つ表示領域決定情報の作成を示す図であり、（ａ）は代表座標の設定を開始する状態を示す図であり、（ｂ）は代表座標の位置を設定する状態を示す図であり、（ｃ）は代表座標を決定した状態を示す図である。
【０１４８】
まず、撮像部２１０において画像データが生成されると、データ作成制御部２１１は、図１５（ａ）に示すように、代表座標の設定を開始する旨を表示する。同時に、カメラ２００は、代表座標を示すマーカーを表示部２１５に表示する。
【０１４９】
次に、データ作成制御部２１１は、操作入力部２１３からの入力情報に基づいて、代表座標を設定する。具体的には、図１５（ｂ）に示すように、ユーザーは、表示部２１５に表示されているマーカーを、操作入力部２１３を介して操作することにより、所望の位置に移動させる。
【０１５０】
最後に、データ作成制御部２１１は、操作入力部２１３からの決定信号を受けたときにマーカーの位置している位置座標をパラメータとした表示領域決定情報を作成する。続いて、データ作成制御部２１１は、作成した表示領域決定情報を画像データに関連付ける。このとき、図１５（ｃ）に示すように、カメラ２００は、表示部２１５に表示領域決定情報を画像データに関連付けたことを通知するメッセージをユーザーに対して表示するようにする。
【０１５１】
表示領域決定情報に複数のパラメータを付与する場合には、再度同様の処理を続ければよい。また、領域情報に優先順を関連付ける場合には、優先順位はパラメータを設定した順に自動的に割り振られるようにしてもよいし、パラメータを設定するたびにユーザーが適宜設定するようにしてもよい。
【０１５２】
なお、代表座要をパラメータとしてもつ表示領域決定情報は、カメラ２００において動的に作成することもできる。
【０１５３】
例えば、カメラ２００が、生成した画像データにおいて被写体の顔を認識する顔認識機能を有する場合には、認識した顔の中心を自動的に代表座標として設定すればよい。この場合、認識した顔が複数ある場合には、複数の代表座標を有する表示領域決定情報が作成されることになる。
【０１５４】
代表座標の候補をピックアップした結果をユーザーに対して通知し、ユーザーがそれらの候補のうちから代表座標として設定するものを選択するようにしてもよい。この場合、優先順位についても同時に設定することができるようにすればよい。
【０１５５】
なお、このような顔認識機能を改良し、顔だけでなく、他の部位についても認識可能とすることにより、被写体の顔以外の代表座標についても自動的に設定することができる。
【０１５６】
（プログラムおよび記録媒体）
最後に、画像表示装置１００に含まれている抽出部１１１、表示領域決定部１１２および表示制御部１１３は、ハードウェアロジックによって構成すればよい。または、次のように、ＣＰＵ（Central Processing Unit）を用いてソフトウェアによって実現してもよい。
【０１５７】
すなわち、抽出部１１１、表示領域決定部１１２および表示制御部１１３は、各機能を実現するプログラムの命令を実行するＭＰＵなどのＣＰＵ、このプログラムを格納したＲＯＭ（Read Only Memory）、上記プログラムを実行可能な形式に展開するＲＡＭ（Random Access Memory）、および、上記プログラムおよび各種データを格納するメモリ等の記憶装置（記録媒体）を備えている。
【０１５８】
そして、本発明の目的は、抽出部１１１、表示領域決定部１１２および表示制御部１１３のプログラムメモリに固定的に担持されている場合に限らず、上記プログラムのプログラムコード（実行形式プログラム、中間コードプログラム、または、ソースプログラム）を記録した記録媒体を画像表示装置１００に供給し、画像表示装置１００が上記記録媒体に記録されている上記プログラムコードを読み出して実行することによっても、達成可能である。
【０１５９】
上記記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１６０】
また、抽出部１１１、表示領域決定部１１２および表示制御部１１３（または画像表示装置１００）を通信ネットワークと接続可能に構成しても、本発明の目的を達成できる。この場合、上記のプログラムコードを、通信ネットワークを介してファームウェアデータ供給部に供給する。この通信ネットワークはファームウェアデータ供給部にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等であればよい。
【０１６１】
この通信ネットワークを構成する伝送媒体も、プログラムコードを伝送可能な任意の媒体であればよく、特定の構成または種類のものに限定されない。たとえばＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【０１６２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１６３】
本発明に係る画像表示装置は、動画像のみならず、静止画像をスライドショー表示または一枚表示可能な機能を有するテレビジョン受像機として好適に用いることができる。
【符号の説明】
【０１６４】
１００      画像表示装置
１１０      取得部
１１１      抽出部
１１２      表示領域決定部（決定手段）
１１３      表示制御部
１１４      表示部
１１５      画像データ記録部
２００      カメラ（画像データ供給装置）
２１０      撮像部
２１１      データ作成制御部（作成手段）
２１２      通信部（供給手段）
２１３      操作入力部
２１４      記録部
２１５      表示部
【図１】
2010176087.tif 000003
【図２】
2010176087.tif 000004
【図３】
2010176087.tif 000005
【図４】
2010176087.tif 000006
【図５】
2010176087.tif 000007
【図６】
2010176087.tif 000008
【図７】
2010176087.tif 000009
【図８】
2010176087.tif 000010
【図９】
2010176087.tif 000011
【図１０】
2010176087.tif 000012
【図１１】
2010176087.tif 000013
【図１２】
2010176087.tif 000014
【図１３】
2010176087.tif 000015
【図１４】
2010176087.tif 000016
【図１５】
2010176087.tif 000017
【図１６】
2010176087.tif 000018
【図１７】
2010176087.tif 000019